(57)【要約】【課題】画像の送信先の装置を、画像の受取人の位置に追従して決定する。【解決手段】画像処理装置の処理部３０において、文書取得部３１が文書を取得し、ユーザＩＤ取得部３３が文書の受取人のユーザＩＤ及びメールアドレスを取得する。そして、通信制御部３６が、位置管理サーバにユーザＩＤを指定して問い合わせることにより、受取人の近くにある画像処理装置を送信先の装置として特定し、送信先の装置に文書を送信し、送信先の装置で文書を取り出すための有効期限を設定し、送信先の装置と有効期限とを受取人のメールアドレスに通知する。その後、通信制御部３６は、送信先の装置で受取人が文書を取り出した旨の通知を有効期限内に受信しなければ、再び同じ処理を行い、その時点で受取人の近くにある画像処理装置に文書を再送する。【選択図】図５
2011045034.tif 000002
【特許請求の範囲】
【請求項１】
送信対象の画像を取得する取得手段と、
前記取得手段により取得された前記画像の受取人の指定を受け付ける受付手段と、
前記取得手段により取得された前記画像の送信先の装置を、前記受付手段が指定を受け付けた前記受取人の位置に基づいて決定する決定手段と、
前記取得手段により取得された前記画像を、前記決定手段により決定された前記送信先の装置に送信する送信手段と
を備え、
前記決定手段は、前記送信手段により送信された前記画像が前記送信先の装置から出力されることなく、当該画像に対して設定された有効期限が経過した場合に、前記受付手段が指定を受け付けた前記受取人の新たな位置に基づいて、当該画像の次の送信先の装置を決定することを特徴とする画像処理装置。
【請求項２】
前記決定手段は、前記送信手段により送信された前記画像が前記送信先の装置から出力された旨の通知がなされることなく前記有効期限が経過したことを検出した場合に、当該画像が当該送信先の装置から出力されることなく当該有効期限が経過したと判定することを特徴とする請求項１に記載の画像処理装置。
【請求項３】
前記決定手段は、前記送信手段により送信された前記画像が前記送信先の装置から出力されることなく前記有効期限が経過したことを当該送信先の装置が検出した旨の通知がなされた場合に、当該画像が当該送信先の装置から出力されることなく当該有効期限が経過したと判定することを特徴とする請求項１に記載の画像処理装置。
【請求項４】
前記受取人が携帯する機器に前記送信先の装置と前記有効期限とを報知する報知手段を更に備えたことを特徴とする請求項１乃至３の何れかに記載の画像処理装置。
【請求項５】
前記決定手段は、前記受取人と当該受取人の位置の近辺に設置された装置とを関連付けて管理する管理装置から、当該受取人に関連付けられた装置を取り出し、当該装置を前記送信先の装置に決定することを特徴とする請求項１乃至４の何れかに記載の画像処理装置。
【請求項６】
前記決定手段は、前記受取人と当該受取人の位置とを関連付けて管理する管理装置から、当該受取人に関連付けられた位置を取り出し、自装置において当該位置に関連付けて管理された装置を、前記送信先の装置に決定することを特徴とする請求項１乃至４の何れかに記載の画像処理装置。
【請求項７】
送信対象の画像を取得する画像取得装置と、
前記画像取得装置により取得された前記画像を出力する画像出力装置と
を備え、
前記画像取得装置は、
前記画像の受取人の指定を受け付ける受付手段と、
前記受付手段が指定を受け付けた前記受取人の位置に基づいて、前記画像出力装置を、前記画像の送信先の装置に決定する決定手段と、
前記画像出力装置に前記画像を送信する送信手段と
を備え、
前記画像出力装置は、
前記画像取得装置から前記画像を受信する受信手段と、
前記受信手段により受信された前記画像が出力された場合に、その旨を前記画像取得装置に通知する通知手段と
を備え、
前記画像取得装置の前記決定手段は、
前記通知手段による通知がなされることなく、前記画像に対して設定された有効期限が経過した場合に、前記受付手段が指定を受け付けた前記受取人の新たな位置に基づいて、当該画像の次の送信先の装置を決定することを特徴とする画像処理システム。
【請求項８】
送信対象の画像を取得する画像取得装置と、
前記画像取得装置により取得された前記画像を出力する画像出力装置と
を備え、
前記画像取得装置は、
前記画像の受取人の指定を受け付ける受付手段と、
前記受付手段が指定を受け付けた前記受取人の位置に基づいて、前記画像出力装置を、前記画像の送信先の装置に決定する決定手段と、
前記画像出力装置に前記画像を送信する送信手段と
を備え、
前記画像出力装置は、
前記画像取得装置から前記画像を受信する受信手段と、
前記受信手段により受信された前記画像が出力されることなく、当該画像に対して設定された有効期限が経過した場合に、その旨を前記画像取得装置に通知する通知手段と
を備え、
前記画像取得装置の前記決定手段は、
前記通知手段による通知がなされた場合に、前記受付手段が指定を受け付けた前記受取人の新たな位置に基づいて、当該画像の次の送信先の装置を決定することを特徴とする画像処理システム。
【請求項９】
送信対象の画像を取得する画像取得装置と、
前記画像取得装置により取得された前記画像を出力する画像出力装置と
を備え、
前記画像取得装置は、
前記画像の受取人の指定を受け付ける受付手段と、
前記受付手段が指定を受け付けた前記受取人の位置に基づいて、前記画像出力装置を、前記画像の送信先の装置に決定する決定手段と、
前記画像出力装置に前記画像を送信する送信手段と
を備え、
前記画像出力装置は、
前記画像取得装置から前記画像を受信する受信手段と、
前記受信手段により受信された前記画像が出力されることなく、当該画像に対して設定された有効期限が経過した場合に、前記受付手段が指定を受け付けた前記受取人の新たな位置に基づいて、当該画像の次の送信先の装置を決定する決定手段と、
前記決定手段により決定された前記次の送信先の装置に前記画像を送信する送信手段と
を備えたことを特徴とする画像処理システム。
【請求項１０】
コンピュータに、
送信対象の画像を取得する機能と、
前記画像の受取人の指定を受け付ける受付手段と、
前記画像の送信先の装置を、前記受取人の位置に基づいて決定する機能と、
前記画像を、前記送信先の装置に送信する機能と
を実現させ、
前記決定する機能では、前記画像が前記送信先の装置から出力されることなく、当該画像に対して設定された有効期限が経過した場合に、前記受取人の新たな位置に基づいて、当該画像の次の送信先の装置を決定させるプログラム。
【発明の詳細な説明】
【技術分野】
【０００１】
本発明は、画像処理装置、画像処理システム、プログラムに関する。
【背景技術】
【０００２】
携帯電話に対して、添付ファイル部分を削除した電子メールを送信し、携帯電話の現在の位置情報に基づいて携帯電話の近くにあるファクシミリ装置やプリンタを出力先として選択し、その出力先に対して、添付ファイル部分を出力可能な形式に変換して送信する技術が知られている（例えば、特許文献１参照）。
【先行技術文献】
【特許文献】
【０００３】
【特許文献１】特開２００２−７２８０号公報
【発明の概要】
【発明が解決しようとする課題】
【０００４】
本発明の目的は、画像の送信先の装置を、画像の受取人の位置に追従して決定することにある。
【課題を解決するための手段】
【０００５】
請求項１に記載の発明は、送信対象の画像を取得する取得手段と、前記取得手段により取得された前記画像の受取人の指定を受け付ける受付手段と、前記取得手段により取得された前記画像の送信先の装置を、前記受付手段が指定を受け付けた前記受取人の位置に基づいて決定する決定手段と、前記取得手段により取得された前記画像を、前記決定手段により決定された前記送信先の装置に送信する送信手段とを備え、前記決定手段は、前記送信手段により送信された前記画像が前記送信先の装置から出力されることなく、当該画像に対して設定された有効期限が経過した場合に、前記受付手段が指定を受け付けた前記受取人の新たな位置に基づいて、当該画像の次の送信先の装置を決定することを特徴とする画像処理装置である。
請求項２に記載の発明は、前記決定手段は、前記送信手段により送信された前記画像が前記送信先の装置から出力された旨の通知がなされることなく前記有効期限が経過したことを検出した場合に、当該画像が当該送信先の装置から出力されることなく当該有効期限が経過したと判定することを特徴とする請求項１に記載の画像処理装置である。
請求項３に記載の発明は、前記決定手段は、前記送信手段により送信された前記画像が前記送信先の装置から出力されることなく前記有効期限が経過したことを当該送信先の装置が検出した旨の通知がなされた場合に、当該画像が当該送信先の装置から出力されることなく当該有効期限が経過したと判定することを特徴とする請求項１に記載の画像処理装置である。
請求項４に記載の発明は、前記受取人が携帯する機器に前記送信先の装置と前記有効期限とを報知する報知手段を更に備えたことを特徴とする請求項１乃至３の何れかに記載の画像処理装置である。
請求項５に記載の発明は、前記決定手段は、前記受取人と当該受取人の位置の近辺に設置された装置とを関連付けて管理する管理装置から、当該受取人に関連付けられた装置を取り出し、当該装置を前記送信先の装置に決定することを特徴とする請求項１乃至４の何れかに記載の画像処理装置である。
請求項６に記載の発明は、前記決定手段は、前記受取人と当該受取人の位置とを関連付けて管理する管理装置から、当該受取人に関連付けられた位置を取り出し、自装置において当該位置に関連付けて管理された装置を、前記送信先の装置に決定することを特徴とする請求項１乃至４の何れかに記載の画像処理装置である。
請求項７に記載の発明は、送信対象の画像を取得する画像取得装置と、前記画像取得装置により取得された前記画像を出力する画像出力装置とを備え、前記画像取得装置は、前記画像の受取人の指定を受け付ける受付手段と、前記受付手段が指定を受け付けた前記受取人の位置に基づいて、前記画像出力装置を、前記画像の送信先の装置に決定する決定手段と、前記画像出力装置に前記画像を送信する送信手段とを備え、前記画像出力装置は、前記画像取得装置から前記画像を受信する受信手段と、前記受信手段により受信された前記画像が出力された場合に、その旨を前記画像取得装置に通知する通知手段とを備え、前記画像取得装置の前記決定手段は、前記通知手段による通知がなされることなく、前記画像に対して設定された有効期限が経過した場合に、前記受付手段が指定を受け付けた前記受取人の新たな位置に基づいて、当該画像の次の送信先の装置を決定することを特徴とする画像処理システムである。
請求項８に記載の発明は、送信対象の画像を取得する画像取得装置と、前記画像取得装置により取得された前記画像を出力する画像出力装置とを備え、前記画像取得装置は、前記画像の受取人の指定を受け付ける受付手段と、前記受付手段が指定を受け付けた前記受取人の位置に基づいて、前記画像出力装置を、前記画像の送信先の装置に決定する決定手段と、前記画像出力装置に前記画像を送信する送信手段とを備え、前記画像出力装置は、前記画像取得装置から前記画像を受信する受信手段と、前記受信手段により受信された前記画像が出力されることなく、当該画像に対して設定された有効期限が経過した場合に、その旨を前記画像取得装置に通知する通知手段とを備え、前記画像取得装置の前記決定手段は、前記通知手段による通知がなされた場合に、前記受付手段が指定を受け付けた前記受取人の新たな位置に基づいて、当該画像の次の送信先の装置を決定することを特徴とする画像処理システムである。
請求項９に記載の発明は、送信対象の画像を取得する画像取得装置と、前記画像取得装置により取得された前記画像を出力する画像出力装置とを備え、前記画像取得装置は、前記画像の受取人の指定を受け付ける受付手段と、前記受付手段が指定を受け付けた前記受取人の位置に基づいて、前記画像出力装置を、前記画像の送信先の装置に決定する決定手段と、前記画像出力装置に前記画像を送信する送信手段とを備え、前記画像出力装置は、前記画像取得装置から前記画像を受信する受信手段と、前記受信手段により受信された前記画像が出力されることなく、当該画像に対して設定された有効期限が経過した場合に、前記受付手段が指定を受け付けた前記受取人の新たな位置に基づいて、当該画像の次の送信先の装置を決定する決定手段と、前記決定手段により決定された前記次の送信先の装置に前記画像を送信する送信手段とを備えたことを特徴とする画像処理システムである。
請求項１０に記載の発明は、コンピュータに、送信対象の画像を取得する機能と、前記画像の受取人の指定を受け付ける受付手段と、前記画像の送信先の装置を、前記受取人の位置に基づいて決定する機能と、前記画像を、前記送信先の装置に送信する機能とを実現させ、前記決定する機能では、前記画像が前記送信先の装置から出力されることなく、当該画像に対して設定された有効期限が経過した場合に、前記受取人の新たな位置に基づいて、当該画像の次の送信先の装置を決定させるプログラムである。
【発明の効果】
【０００６】
請求項１の発明によれば、画像の送信先の装置を、画像の受取人の位置に追従して決定することができる。
請求項２の発明によれば、画像の送信先の装置に有効期限の経過を検出する構成を設けなくてもよくなる。
請求項３の発明によれば、画像の送信元の装置に負荷が集中することを抑えることができる。
請求項４の発明によれば、本構成を有していない場合に比較して、受取人がどの装置でいつまでに画像を出力すればよいかを知ることが容易になる。
請求項５の発明によれば、本構成を有していない場合に比較して、自装置で管理する情報の量を少なくすることができる。
請求項６の発明によれば、自装置で管理される装置を、画像の送信先の装置に決定することができる。
請求項７の発明によれば、画像の送信先の装置を、画像の受取人の位置に追従して決定することができ、その際、画像の送信先の装置に有効期限の経過を検出する構成を設けなくてもよくなる。
請求項８の発明によれば、画像の送信先の装置を、画像の受取人の位置に追従して決定することができ、その際、画像の送信元の装置に負荷が集中することを抑えることができる。
請求項９の発明によれば、画像の送信先の装置を、画像の受取人の位置に追従して決定することができ、その際、画像の送信元の装置に負荷が集中することをより一層抑えることができる。
請求項１０の発明によれば、画像の送信先の装置を、画像の受取人の位置に追従して決定することができる。
【図面の簡単な説明】
【０００７】
【図１】本発明の実施の形態が適用される画像処理システムの構成例を示した図である。
【図２】本発明の実施の形態における位置管理サーバのハードウェア構成例を示した図である。
【図３】本発明の実施の形態における位置管理サーバで管理される情報の例を示した図である。
【図４】本発明の実施の形態における画像処理装置のハードウェア構成例を示した図である。
【図５】本発明の第１の実施の形態における画像処理装置の処理部の機能構成例を示したブロック図である。
【図６】本発明の実施の形態におけるアドレス情報記憶部に記憶された情報の例を示した図である。
【図７】本発明の第１の実施の形態における画像処理装置の動作例を示したフローチャートである。
【図８】本発明の第１の実施の形態における画像処理装置の動作例で記憶される情報の例を示した図である。
【図９】本発明の第２の実施の形態における画像処理装置の処理部の機能構成例を示したブロック図である。
【図１０】本発明の第２の実施の形態における画像処理システムの動作例を示したシーケンス図である。
【図１１】本発明の第２の実施の形態における画像処理システムの動作例で記憶される情報の例を示した図である。
【図１２】本発明の第３の実施の形態における画像処理装置の処理部の機能構成例を示したブロック図である。
【図１３】本発明の第３の実施の形態における画像処理システムの動作例を示したシーケンス図である。
【発明を実施するための形態】
【０００８】
以下、添付図面を参照して、本発明の実施の形態について詳細に説明する。
図１は、本実施の形態における画像処理システムの構成例を示したものである。
図示するように、この画像処理システムは、画像処理装置１０ａ，１０ｂ，１０ｃ，１０ｄと、位置管理サーバ２０とがネットワーク８０に接続されることにより構成されている。また、携帯端末６０も、基地局７０を介してネットワーク８０に無線接続可能になっている。尚、図では、画像処理装置１０ａ，１０ｂ，１０ｃ，１０ｄを示したが、これらを区別する必要がない場合は、画像処理装置１０と称することもある。また、図には、４つの画像処理装置１０しか示していないが、５つ以上の画像処理装置１０を設けてもよい。
【０００９】
画像処理装置１０は、入力された画像を処理して出力する装置である。本実施の形態では、特に、他の画像処理装置１０との間でネットワーク８０を介して画像データを送受信するファクシミリ機能を有する装置を想定している。また、送信する画像データの元となる画像を紙等の媒体から読み取るスキャナ機能や、図示しないＰＣ（Personal Computer）から受信した印刷データに基づいて紙等の記録媒体に画像を印刷するプリンタ機能を有するものであってもよい。尚、画像処理装置１０ａ，１０ｂ，１０ｃ，１０ｄは、物理的に離れた場所に存在することを想定している。この画像処理装置１０の構成の詳細については後述する。
【００１０】
位置管理サーバ２０は、管理装置の一例であり、この画像処理システムを利用するユーザや、この画像処理システムを構成する画像処理装置１０の位置を管理するサーバコンピュータである。ここで、位置管理サーバ２０としては、例えば、パーソナルコンピュータやワークステーション、その他のコンピュータを用いるとよい。
【００１１】
携帯端末６０は、受取人が携帯する機器の一例であり、ユーザが移動する際に携帯可能な端末装置である。本実施の形態において、携帯端末６０には、少なくとも電子メールを送受信する機能が備わっていればよい。ここで、携帯端末６０としては、例えば携帯電話機を用いるとよい。
基地局７０は、携帯端末６０とネットワーク８０との中継点となる装置である。携帯端末６０が送信したデータを中継して画像処理装置１０等に送信したり、画像処理装置１０等が送信したデータを中継して携帯端末６０に送信したりする。
ネットワーク８０は、各装置間を双方向通信可能に接続する通信回線である。例えば、ＬＡＮ（Local Area Network）やインターネットによって実現するとよい。
【００１２】
ところで、受取人のプレゼンス情報に基づいて文書を送信するファクシミリシステムでは、受取人の所在を文書の送信先にリアルタイムに反映することが困難であるため、受取人が迅速かつ確実に文書を受け取ることができない場合があった。
そこで、本実施の形態では、受取人の位置情報にリアルタイムに追従し、受取人が迅速かつ確実に文書を受け取れるようにする。
以下、本実施の形態を、第１、第２、第３の実施の形態に分けて説明するが、位置管理サーバ２０は全ての実施の形態で共通なので、まず、この位置管理サーバ２０について説明する。
【００１３】
図２は、位置管理サーバ２０のハードウェア構成例を示した図である。
図示するように、位置管理サーバ２０は、演算手段であるＣＰＵ（Central Processing Unit）２１と、記憶手段であるメインメモリ２２及び磁気ディスク装置（ＨＤＤ：Hard Disk Drive）２３とを備える。ここで、ＣＰＵ２１は、ＯＳ（Operating System）やアプリケーション等の各種ソフトウェアを実行し、各機能を実現する。また、メインメモリ２２は、各種ソフトウェアやその実行に用いるデータ等を記憶する記憶領域であり、磁気ディスク装置２３は、各種ソフトウェアに対する入力データや各種ソフトウェアからの出力データ等を記憶する記憶領域である。
更に、位置管理サーバ２０は、外部との通信を行うための通信Ｉ／Ｆ２４と、ビデオメモリやディスプレイ等からなる表示機構２５と、キーボードやマウス等の入力デバイス２６とを備える。
【００１４】
次に、位置管理サーバ２０において管理される情報について説明する。
図３は、位置管理サーバ２０で管理される情報の例を示した図である。
図示するように、位置管理サーバ２０は、ユーザ位置情報記憶部２０１と、装置位置情報記憶部２０２とを備える。
このうち、ユーザ位置情報記憶部２０１に記憶されたユーザ位置情報は、画像処理システムを利用するユーザの位置を示す情報であり、ユーザＩＤと、時間帯と、位置ＩＤとを対応付けたものとなっている。
ユーザＩＤは、ユーザを一意に識別するための情報である。
時間帯は、あるユーザがある場所へ到達してからその場所を離れるまでの時間の幅である。
位置ＩＤは、この画像処理システムを利用可能な個々の場所（位置）を一意に識別するための情報である。例えば、この画像処理システムが組織内に構築されたものであれば、社員が訪れる場所はある程度限定されるので、それらの場所に位置ＩＤを付与すればよい。
このように、ユーザは、自身の行動予定を、時間帯と場所との対応の形でユーザ位置情報記憶部２０１に登録しておく。
【００１５】
また、装置位置情報記憶部２０２に記憶された装置位置情報は、位置ＩＤと、位置名と、装置ＩＤとを対応付けたものとなっている。
位置ＩＤは、上述した通り、位置を一意に識別するための情報である。
位置名は、位置ＩＤで識別される位置を表す名称である。
装置ＩＤは、画像処理装置１０を一意に識別するための情報である。この装置ＩＤとしては、画像処理装置１０に対してファクシミリ送信を行う際に送信先として指定される情報を用いればよい。例えば、Ｇ３ファクシミリであれば電話番号、ＩＴＵ−Ｔ勧告Ｔ．３７に準拠したインターネットファクシミリであればメールアドレス、ＩＴＵ−Ｔ勧告Ｔ．３８に準拠したインターネットファクシミリであればＩＰアドレスである。
【００１６】
更に、位置管理サーバ２０は、図示しないが、外部からの要求に応じてこれらの各記憶部から情報を取り出し、要求元に返信する機能も備えている。
例えば、ユーザＩＤ及び時間帯を指定した装置ＩＤの取得要求を受けると、まず、ユーザ位置情報記憶部２０１に記憶されたユーザ位置情報を参照し、指定されたユーザＩＤ及び時間帯に対応する位置ＩＤを取得する。そして、装置位置情報記憶部２０２に記憶された装置位置情報を参照し、位置ＩＤに対応する装置ＩＤを取得し、これを要求元に返信する。
或いは、ユーザＩＤ及び時間帯を指定した位置ＩＤの取得要求を受けると、ユーザ位置情報記憶部２０１に記憶されたユーザ位置情報を参照し、指定されたユーザＩＤ及び時間帯に対応する位置ＩＤを取得し、これを要求元に返信する。
【００１７】
次いで、画像処理装置１０のハードウェア構成も全ての実施の形態で共通なので、この画像処理装置１０のハードウェア構成についても説明しておく。
図４は、画像処理装置１０のハードウェア構成例を示した図である。
図示するように、画像処理装置１０は、ＣＰＵ（Central Processing Unit）１１と、ＲＡＭ（Random Access Memory）１２と、ＲＯＭ（Read Only Memory）１３と、ＨＤＤ（Hard Disk Drive）１４と、操作パネル１５と、画像読取部１６と、画像形成部１７と、通信インターフェースコントローラ（以下、「通信Ｉ／Ｆコントローラ」と表記する）１８とを備える。
【００１８】
ＣＰＵ１１は、ＲＯＭ１３等に記憶された各種プログラムをＲＡＭ１２にロードして実行することにより、後述する各機能を実現する。
ＲＡＭ１２は、ＣＰＵ１１の作業用メモリ等として用いられるメモリである。
ＲＯＭ１３は、ＣＰＵ１１が実行する各種プログラム等を記憶するメモリである。
ＨＤＤ１４は、画像読取部１６が読み取った画像データや画像形成部１７における画像形成にて用いる画像データ等を記憶する例えば磁気ディスク装置である。
操作パネル１５は、各種情報の表示やユーザからの操作入力の受付を行う例えばタッチパネルである。
【００１９】
画像読取部１６は、紙等の記録媒体に記録された画像を読み取る。ここで、画像読取部１６は、例えばスキャナであり、光源から原稿に照射した光に対する反射光をレンズで縮小してＣＣＤ(Charge Coupled Devices)で受光するＣＣＤ方式や、ＬＥＤ光源から原稿に順に照射した光に対する反射光をＣＩＳ(Contact Image Sensor)で受光するＣＩＳ方式のものを用いるとよい。
【００２０】
画像形成部１７は、紙等の記録媒体に画像を形成する。ここで、画像形成部１７は、例えばプリンタであり、感光体に付着させたトナーを記録媒体に転写して像を形成する電子写真方式や、インクを記録媒体上に吐出して像を形成するインクジェット方式のものを用いるとよい。
通信Ｉ／Ｆコントローラ１８は、ネットワーク８０を介して他の装置との間で各種情報の送受信を行う。
【００２１】
［第１の実施の形態］
図５は、第１の実施の形態の画像処理装置１０においてプログラム制御で実現される処理部３０の機能構成例を示したブロック図である。
図示するように、この第１の実施の形態における処理部３０は、文書取得部３１と、送信文書記憶部３２と、ユーザＩＤ取得部３３と、アドレス情報記憶部３４と、再送制御情報記憶部３５と、通信制御部３６と、送信履歴記憶部３７とを備える。また、受信文書記憶部３８と、文書出力部３９とを備える。このうち、文書取得部３１、ユーザＩＤ取得部３３、通信制御部３６、文書出力部３９は、ＣＰＵ１１が例えばＨＤＤ１４に記憶されたプログラムをＲＡＭ１２に読み込むことによって実現される。また、アドレス情報記憶部３４、送信文書記憶部３２、送信履歴記憶部３７、受信文書記憶部３８は、例えばＨＤＤ１４によって実現される。
【００２２】
文書取得部３１は、画像読取部１６が読み取った文書画像（以下、単に「文書」という）を取得する。本実施の形態では、画像を取得する取得手段の一例として、文書取得部３１を設けている。
送信文書記憶部３２は、文書取得部３１が取得した送信すべき文書を記憶する。その際、文書には、後で取り出せるように、文書を一意に識別するための文書ＩＤが付される。
ユーザＩＤ取得部３３は、文書取得部３１が取得した文書の受取人のユーザＩＤが操作パネル１５から入力されると、これを取得する。本実施の形態では、画像の受取人の指定を受け付ける受付手段の一例として、ユーザＩＤ取得部３３を設けている。
アドレス情報記憶部３４は、各ユーザのメールアドレスを示すアドレス情報を記憶する。
再送制御情報記憶部３５は、他の画像処理装置１０に送信した文書が有効期限内に取り出されなかった場合に更に他の画像処理装置１０に文書を再送する制御を行うために必要となる情報（以下、「再送制御情報」という）を記憶する。
【００２３】
通信制御部３６は、他の画像処理装置１０、位置管理サーバ２０、携帯端末６０との間での情報の通信を制御する。具体的には、他の画像処理装置１０に文書ＩＤが付加された文書を送信し、他の画像処理装置１０から文書が取り出されたことを示す取り出し完了通知を受信する。また、他の画像処理装置１０から文書ＩＤが付加された文書を受信し、他の画像処理装置１０に文書が取り出されたことを示す取り出し完了通知を送信する。本実施の形態では、画像を送信する送信手段の一例として、画像を受信する受信手段の一例として、そして、画像が出力された場合にその旨を通知する通知手段の一例として、通信制御部３６のこの機能を設けている。また、位置管理サーバ２０にユーザＩＤを送信し、位置管理サーバ２０からユーザＩＤに対応する他の画像処理装置１０の装置ＩＤを受信する。本実施の形態では、画像の送信先の装置を決定する決定手段の一例として、通信制御部３６のこの機能を設けている。更に、携帯端末６０に文書ＩＤ、装置の情報、有効期限を送信する。本実施の形態では、送信先の装置と有効期限とを報知する報知手段の一例として、通信制御部３６のこの機能を設けている。
送信履歴記憶部３７は、通信制御部３６による他の画像処理装置１０への文書の送信履歴を、他の画像処理装置１０から文書を取り出すことが可能な有効期限を含めて記憶する。
【００２４】
受信文書記憶部３８は、通信制御部３６が他の画像処理装置１０から受信した文書を記憶する。
文書出力部３９は、操作パネル１５からの指示に従い、受信文書記憶部３８に記憶された文書に基づく画像形成が行われるよう、その文書を画像形成部１７に出力する。
【００２５】
ここで、アドレス情報記憶部３４に記憶される情報について説明する。
図６は、アドレス情報記憶部３４に記憶される情報の例を示した図である。
図示するように、アドレス情報記憶部３４に記憶されたアドレス情報は、ユーザＩＤと、ユーザ名と、メールアドレスとを対応付けたものとなっている。
ユーザＩＤは、上述した通り、ユーザを一意に識別するための情報である。
ユーザ名は、ユーザの氏名である。
メールアドレスは、ユーザが所持する携帯端末６０のメールアドレスである。
【００２６】
次に、この第１の実施の形態の動作について説明する。
図７は、第１の実施の形態における画像処理装置１０ａの動作例を示したフローチャートである。ここで、画像処理装置１０ａは、画像取得装置の一例である。尚、この動作例は、文書の送信者が、他のユーザ（受取人）に対して文書の送信を試みることにより、開始される。また、以下の説明において、画像処理装置１０ａ，１０ｂの各機能には、それぞれ、「ａ」，「ｂ」を付して表す。
【００２７】
まず、送信者が、画像処理装置１０ａの画像読取部１６ａに、送信したい文書を読み取らせる。すると、画像読取部１６ａがこの文書を読み取り、文書取得部３１ａが、画像読取部１６ａから読み取った文書を取得し、送信文書記憶部３２ａに記憶する（ステップ３０１）。尚、このとき、文書には、文書を一意に識別する文書ＩＤが付加され、この文書ＩＤは、ユーザＩＤ取得部３３ａにも渡される。
【００２８】
次に、送信者は、画像処理装置１０ａの操作パネル１５ａから受取人の情報を入力する。具体的には、受取人のユーザＩＤやメールアドレス等、受取人を一意に識別できる識別情報を入力すればよいが、ここでは、受取人のユーザＩＤを入力するものとする。また、送信者が受取人のユーザＩＤを覚えておくことが現実的でない場合、送信者は受取人の名前を入力するようにし、画像処理装置１０ａが持つアドレス帳等によって受取人の名前をユーザＩＤに変換する仕組みを設けてもよい。ユーザＩＤ取得部３３ａは、このようにしてユーザＩＤを取得する（ステップ３０２）。
また、ユーザＩＤ取得部３３ａは、取得したユーザＩＤに対応するメールアドレスをアドレス情報記憶部３４ａから取り出し、文書取得部３１ａから渡された文書ＩＤと、ユーザＩＤと、メールアドレスとからなる再送制御情報を再送制御情報記憶部３５ａに記憶する（ステップ３０３）。
【００２９】
その後、通信制御部３６ａは、再送制御情報記憶部３５ａに記憶された再送制御情報に含まれるユーザＩＤに基づいて、受取人に近い画像処理装置１０を特定する（ステップ３０４）。
具体的には、通信制御部３６ａは、ユーザＩＤを検索キーにして、位置管理サーバ２０に対して受信者の近くにある画像処理装置１０を問い合わせる。
これにより、位置管理サーバ２０は、まず、ユーザ位置情報記憶部２０１に記憶されたユーザ位置情報を参照し、指定されたユーザＩＤに対応し、かつ、現在時刻を含む時間帯に対応する位置ＩＤを取得する。但し、ここでの位置の取得方法は、これには限らない。例えば、ユーザＩＤに関連付けられた携帯端末６０等に搭載されたＧＰＳ装置を用いる方法であってもよい。或いは、ユーザＩＤに関連付けられたＳＩＰプレゼンス情報を用いる方法であってもよい。
次に、位置管理サーバ２０は、取得した位置ＩＤを検索キーにして、装置位置情報記憶部２０２に記憶された装置位置情報を検索し、受取人の位置に例えば最も近い画像処理装置１０を特定する。以下では、ここで特定された画像処理装置１０を画像処理装置１０ｂとし、画像処理装置１０ｂを一意に識別する装置ＩＤ（ＩＰアドレス等）を、画像処理装置１０ａからの問い合わせに対する応答として送信するものとする。ここで、画像処理装置１０ｂは、画像出力装置の一例である。
【００３０】
このようにして送信先の画像処理装置１０ｂが特定されると、画像処理装置１０ａでは、通信制御部３６ａが、文書ＩＤが付された文書を送信文書記憶部３２ａから読み出し、応答として受信した画像処理装置１０ｂの装置ＩＤを用いて、文書を画像処理装置１０ｂに送信する（ステップ３０５）。
このとき、本実施の形態では、通信制御部３６ａが、文書に対して有効期限を設定する。ここで、有効期限は、予め定めた固定値であっても、送信者が指定した値であってもよい。そして、通信制御部３６ａは、送信時刻と、送信した文書の文書ＩＤと、送信先の画像処理装置１０ｂの装置ＩＤと、有効期限とを関連付けた送信履歴を送信履歴記憶部３７ａに記憶する（ステップ３０６）。尚、その際、有効期限が経過した際に発火するタイマをセットするようにしてもよい。
【００３１】
また、通信制御部３６ａは、再送制御情報記憶部３５ａに記憶された再送制御情報からこの文書ＩＤに対応するメールアドレスを取り出し、このメールアドレスに対して、画像処理装置１０ｂに文書を送信したこと、画像処理装置１０ｂの位置、送信した文書の文書ＩＤ、文書の有効期限（受け取り期限）を通知する電子メールを送信する（ステップ３０７）。ここで、画像処理装置１０ｂの位置としては、位置管理サーバ２０の装置位置情報記憶部２０２に記憶された装置位置情報から取得した位置名を用いるとよい。
【００３２】
さて、文書ＩＤが付加された文書がステップ３０５で送信されると、画像処理装置１０ｂでは、通信制御部３６ｂが文書を受信する。但し、画像処理装置１０ｂでは、受信した文書をそのまま印刷するのではなく、受信文書記憶部３８ｂに記憶する。
そして、受取人は、携帯端末６０で電子メールを受信すると、電子メールに記載された画像処理装置１０ｂに出向き、文書を取り出す。具体的には、携帯端末６０で受信した電子メールに記載された文書ＩＤを画像処理装置１０ｂの操作パネル１５ｂから入力する。すると、文書出力部３９ｂが、受信文書記憶部３８ｂに記憶された文書のうち、入力された文書ＩＤが付与された文書を取り出し、画像形成部１７ｂに出力する。
【００３３】
このように、入力された文書ＩＤに対応する文書を画像形成部１７ｂに出力することで、受取人が文書を取り出したことを文書出力部３９ｂが検知すると、文書出力部３９ｂは、その旨を通信制御部３６ｂに伝え、通信制御部３６ｂが、画像処理装置１０ａに対して、文書が取り出されたことを示す取り出し完了通知を送信する。ここで、取り出し完了通知には、取り出された文書の文書ＩＤを含めておくものとする。
【００３４】
一方、画像処理装置１０ａでは、通信制御部３６ａが、画像処理装置１０ｂから取り出し完了通知を受信したかどうかを判定する（ステップ３０８）。その結果、取り出し完了通知を受信したと判定されると、この取り出し完了通知に含まれる文書ＩＤの文書の送信先としてこれまでに特定した画像処理装置１０の装置ＩＤを送信履歴記憶部３７ａから取得し、これらの装置ＩＤを用いて、これらの画像処理装置１０の受信文書記憶部３８に記憶されたこの文書ＩＤの文書を削除する指示を送信する（ステップ３１０）。これにより、例えば、画像処理装置１０ｂでは、通信制御部３６ｂがこの指示を受信し、受信文書記憶部３８ｂに記憶されたこの文書ＩＤの文書を削除する。また、通信制御部３６ａは、送信履歴記憶部３７ａに記憶されたこの文書ＩＤに対応する送信履歴を削除する（ステップ３１１）。尚、その際、タイマがセットされていれば、その解除を行うようにしてもよい。
【００３５】
以上は、送信された文書を受取人が有効期限内に取り出すことができた場合であるが、実際には受取人は一箇所に留まらず、拠点間を移動している場合もある。その場合は、受取人が有効期限内に文書を取り出すことができない可能性が高い。そうなると、ステップ３０８で取り出し完了通知を受信していないと判定されたまま、ステップ３０９で有効期限が経過したと判定されることになる。つまり、ある文書ＩＤに対応する送信履歴における装置ＩＤの画像処理装置１０から取り出し完了通知を受信していないにも関わらず、その送信履歴における有効期限を現在時刻が超えてしまうことになる。この場合、通信制御部３６ａは、受取人が移動したものと判断し、ステップ３０４〜３０７を再度実行して、文書の再送処理を行う。具体的には、受取人の移動先の新たな位置から更に別の画像処理装置１０（画像処理装置１０ｃとする）を特定し、送信文書記憶部３２ａからこの文書ＩＤの文書を取り出して画像処理装置１０ｃに送信する。
【００３６】
尚、上記動作例では、画像処理装置１０ａにおいてのみ有効期限の経過を判定するようにしたが、これには限らない。例えば、設定した有効期限を、文書のメタデータとして画像処理装置１０ｂに送信するようにしてもよい。そして、このように画像処理装置１０ａから有効期限がメタデータとして送信されて来た場合、画像処理装置１０ｂでは、有効期限が経過した際に発火するタイマをセットすることが望ましい。
また、上記動作例では、ステップ３０７で受取人に情報を通知するようにしたが、かかる情報の通知は必須ではない。例えば、画像処理装置１０ｂが受信した文書像を受信文書記憶部３８ｂに記憶せずにそのまま印刷することで、受取人が近くにいれば文書の受信に気付くような態様であれば、受取人に情報を通知する必要はない。
更に、上記動作例では、ステップ３１０で画像処理装置１０ａが既に文書を送信した画像処理装置１０に対し、文書の削除を指示するようにしたが、各画像処理装置１０の文書出力部３９が、文書を印刷した際に、受信文書記憶部３８に保存されている文書を削除するようにしてもよい。
【００３７】
ここで、図７に示した動作例において記憶される情報を、具体例を用いて説明する。
図８（ａ）は、ステップ３０３で記憶される再送制御情報の例を示したものである。
図示するように、再送制御情報は、文書ＩＤと、ユーザＩＤと、メールアドレスとを対応付けたものとなっている。
図には、文書「Ｄ０００１」及び文書「Ｄ０００２」をユーザ「Ｕ０００２」に対して送信すべきこと、文書「Ｄ０００３」をユーザ「Ｕ０００４」に対して送信すべきこと、文書「Ｄ０００４」をユーザ「Ｕ０００１」に対して送信すべきことが示されている。また、各ユーザに対して、送信先の画像処理装置１０や取り出し有効期限の通知先となる携帯端末６０のメールアドレスも、アドレス情報記憶部３４から取り出されて設定されている。
【００３８】
図８（ｂ）は、ステップ３０６で記憶される送信履歴の例を示したものである。
図示するように、送信履歴は、送信時刻と、文書ＩＤと、装置ＩＤと、有効期限とを対応付けたものとなっている。
図には、まず、文書「Ｄ０００１」が、有効期限「ＥＴ１」が設定されて装置「Ｍ０００３」に送信された後、有効期限「ＥＴ２」が設定されて装置「Ｍ０１１７」に送信されたことが示されている。また、有効期限「ＥＴ３」が設定された文書「Ｄ０００２」が装置「Ｍ０１０１」に、有効期限「ＥＴ４」が設定された文書「Ｄ０００３」が装置「Ｍ０００３」に、有効期限「ＥＴ５」が設定された文書「Ｄ０００４」が装置「Ｍ０１０１」に、それぞれ送信されたことも示されている。
【００３９】
［第２の実施の形態］
図９は、第２の実施の形態の画像処理装置１０においてプログラム制御で実現される処理部４０の機能構成例を示したブロック図である。
図示するように、この第２の実施の形態における処理部４０は、文書取得部４１と、送信文書記憶部４２と、ユーザＩＤ取得部４３と、アドレス情報記憶部４４と、再送制御情報記憶部４５と、通信制御部４６とを備える。また、受信履歴記憶部４７と、受信文書記憶部４８と、文書出力部４９とを備える。このうち、文書取得部４１、ユーザＩＤ取得部４３、通信制御部４６、文書出力部４９は、ＣＰＵ１１が例えばＨＤＤ１４に記憶されたプログラムをＲＡＭ１２に読み込むことによって実現される。また、アドレス情報記憶部４４、送信文書記憶部４２、受信履歴記憶部４７、受信文書記憶部４８は、例えばＨＤＤ１４によって実現される。
【００４０】
ここで、文書取得部４１、送信文書記憶部４２、ユーザＩＤ取得部４３、アドレス情報記憶部４４、再送制御情報記憶部４５、受信文書記憶部４８は、それぞれ、第１の実施の形態における文書取得部３１、送信文書記憶部３２、ユーザＩＤ取得部３３、アドレス情報記憶部３４、再送制御情報記憶部３５、受信文書記憶部３８と同様なので、ここでの詳細な説明は省略する。
【００４１】
通信制御部４６は、他の画像処理装置１０、位置管理サーバ２０、携帯端末６０との間での情報の通信を制御する。具体的には、他の画像処理装置１０に文書ＩＤが付加された文書を有効期限と共に送信し、他の画像処理装置１０から文書が有効期限内に取り出されたことを示す取り出し完了通知又は文書が有効期限内に取り出されなかったことを示す取り出し未了通知を受信する。また、他の画像処理装置１０から文書ＩＤが付加された文書を受信し、他の画像処理装置１０に文書が有効期限内に取り出されたことを示す取り出し完了通知又は文書が有効期限内に取り出されなかったことを示す取り出し未了通知を送信する。本実施の形態では、画像を送信する送信手段の一例として、画像を受信する受信手段の一例として、そして、画像が出力されることなく有効期限が経過した場合にその旨を通知する通知手段の一例として、通信制御部４６のこの機能を設けている。また、位置管理サーバ２０にユーザＩＤを送信し、位置管理サーバ２０からユーザＩＤに対応する画像処理装置１０の装置ＩＤを受信する。本実施の形態では、画像の送信先の装置を決定する決定手段の一例として、通信制御部４６のこの機能を設けている。更に、携帯端末６０に文書ＩＤ、装置の情報、有効期限を送信する。本実施の形態では、送信先の装置と有効期限とを報知する報知手段の一例として、通信制御部４６のこの機能を設けている。
【００４２】
受信履歴記憶部４７は、通信制御部４６による他の画像処理装置１０からの文書の受信履歴を、この画像処理装置１０にて文書を取り出すことが可能な有効期限を含めて記憶する。
文書出力部４９は、操作パネル１５からの指示に従い、受信文書記憶部４８に記憶された文書に基づく画像形成が行われるよう、その文書を画像形成部１７に出力する。そして、有効期限内に文書が取り出されたことを示す取り出し完了通知又は有効期限内に文書が取り出されなかったことを示す取り出し未了通知をメッセージにセットして通信制御部４６に受け渡す。
【００４３】
尚、アドレス情報記憶部４４に記憶される情報については、第１の実施の形態で述べたのと同様であるので、ここでの詳細な説明は省略する。
【００４４】
次に、この第２の実施の形態の動作について説明する。
図１０は、第２の実施の形態における画像処理装置１０ａ等を含む画像処理システムの動作例を示したシーケンス図である。ここで、画像処理装置１０ａは、画像取得装置の一例である。尚、この動作例は、文書の送信者が、他のユーザ（受取人）に対して文書の送信を試みることにより、開始される。また、以下の説明において、画像処理装置１０ａ，１０ｂの各機能には、それぞれ、「ａ」，「ｂ」を付して表す。
【００４５】
ここで、ステップ４０１〜４０４は、第１の実施の形態におけるステップ３０１〜３０４と同様であるので、ここでの詳細な説明は省略する。尚、以下では、ここで特定された画像処理装置１０を画像処理装置１０ｂとする。ここで、画像処理装置１０ｂは、画像出力装置の一例である。
【００４６】
このようにして送信先の画像処理装置１０ｂが特定されると、画像処理装置１０ａでは、通信制御部４６ａが、文書ＩＤが付された文書を送信文書記憶部４２ａから読み出し、文書に対して有効期限を設定し、応答として受信した画像処理装置１０ｂの装置ＩＤを用いて、文書と有効期限とを画像処理装置１０ｂに送信する（ステップ４０５）。ここで、有効期限は、予め定めた固定値であっても、送信者が指定した値であってもよい。また、有効期限は、文書のメタデータとして同時に送信してもよい。
【００４７】
また、通信制御部４６ａは、再送制御情報記憶部４５ａに記憶された再送制御情報からこの文書ＩＤに対応するメールアドレスを取り出し、このメールアドレスに対して、画像処理装置１０ｂに文書を送信したこと、画像処理装置１０ｂの位置、送信した文書の文書ＩＤ、文書の有効期限（受け取り期限）を通知する電子メールを送信する（ステップ４０６）。ここで、画像処理装置１０ｂの位置としては、位置管理サーバ２０の装置位置情報記憶部２０２に記憶された装置位置情報から取得した位置名を用いるとよい。
【００４８】
さて、文書ＩＤが付加された文書がステップ４０５で送信されると、画像処理装置１０ｂでは、通信制御部４６ｂが文書及び有効期限を受信する（ステップ４５１）。但し、画像処理装置１０ｂでは、受信した文書をそのまま印刷するのではなく、受信文書記憶部４８ｂに記憶し、また、受信時刻と、受信した文書の文書ＩＤと、有効期限とを関連付けた受信履歴を受信履歴記憶部４７ｂに記憶する（ステップ４５２）。尚、その際、有効期限が経過した際に発火するタイマをセットするようにしてもよい。
そして、受取人は、携帯端末６０で電子メールを受信すると、電子メールに記載された画像処理装置１０ｂに出向き、文書を取り出す。具体的には、携帯端末６０で受信した電子メールに記載された文書ＩＤを画像処理装置１０ｂの操作パネル１５ｂから入力する。すると、文書出力部４９ｂが、受信文書記憶部４８ｂに記憶された文書のうち、入力された文書ＩＤが付与された文書を取り出し、画像形成部１７ｂに出力する。
【００４９】
その際、文書出力部４９ｂは、受信文書記憶部４８ｂに記憶された文書が取り出されたかどうかを判定する（ステップ４５３）。その結果、文書が取り出されたと判定されると、文書出力部４９ｂは、取り出し完了通知をメッセージにセットして通信制御部４６ｂに渡す（ステップ４５４）。一方、文書が取り出されていないと判定されると、受信履歴記憶部４７ｂを参照して有効期限が経過したかどうかを判定し（ステップ４５５）、受取人が文書を取り出すことなく有効期限が経過したことを検知すると、有効期限内に受取人が文書を取り出さなかったことを示す取り出し未了通知をメッセージにセットして通信制御部４６ｂに渡す（ステップ４５６）。ここで、取り出し完了通知には、取り出された文書の文書ＩＤを含めておき、取り出し未了通知には、取り出し対象であった文書の文書ＩＤを含めておくものとする。
すると、通信制御部４６ｂは、ステップ４５４で取り出し完了通知がセットされたメッセージ、又は、ステップ４５６で取り出し未了通知がセットされたメッセージを、画像処理装置１０ａに送信する（ステップ４５７）。そして、受信文書記憶部４８ｂに記憶されたこの文書ＩＤの文書と、受信履歴記憶部４７ｂに記憶されたこの文書ＩＤに対応する受信履歴とを削除する（ステップ４５８）。
【００５０】
その後、画像処理装置１０ａでは、通信制御部４６ａが、画像処理装置１０ｂからメッセージを受信する（ステップ４０７）。そして、そのメッセージが取り出し完了通知であるかどうかを判定する（ステップ４０８）。その結果、メッセージが取り出し完了通知であると判定されると、送信文書記憶部４２ａに記憶されたこの文書ＩＤの文書を削除し、再送制御情報記憶部４５ａに記憶されたこの文書ＩＤに対応する再送制御情報を削除する（ステップ４０９）。
【００５１】
以上は、送信された文書を受取人が有効期限内に取り出すことができた場合であるが、実際には受取人は一箇所に留まらず、拠点間を移動している場合もある。その場合は、受取人が有効期限内に文書を取り出すことができない可能性が高い。そうなると、ステップ４０７で受信したメッセージは取り出し未了通知となる。この場合、通信制御部４６ａは、受取人が移動したものと判断し、ステップ４０４〜４０７を再度実行して、文書の再送処理を行う。具体的には、受取人の移動先の新たな位置から更に他の画像処理装置１０（画像処理装置１０ｃとする）を特定し、送信文書記憶部４２ａからこの文書ＩＤの文書を取り出して画像処理装置１０ｃに送信する。
【００５２】
尚、上記動作例では、画像処理装置１０ａで有効期限を設定し、これを文書と共に画像処理装置１０ｂに送信するようにしたが、画像処理装置１０ａで有効期限を設定しないことも考えられる。この場合は、画像処理装置１０ｂで有効期限を設定し、文書に関連付けられた有効期限が経過すると発火するタイマをセットするとよい。
【００５３】
ここで、図１０に示した動作例において記憶される情報を、具体例を用いて説明する。尚、ステップ４０３で記憶される再送制御情報は、図８（ａ）と同様であるので、ここでの詳細な説明は省略する。
図１１は、ステップ４５２で記憶される受信履歴の例を示したものである。
図示するように、受信履歴は、受信時刻と、文書ＩＤと、有効期限とを対応付けたものとなっている。
図には、有効期限「ＥＴ１」が設定された文書「Ｄ０００１」と、有効期限「ＥＴ２」が設定された文書「Ｄ０００２」と、有効期限「ＥＴ３」が設定された文書「Ｄ０００３」と、有効期限「ＥＴ４」が設定された文書「Ｄ０００４」とが受信されたことが示されている。
【００５４】
［第３の実施の形態］
図１２は、第３の実施の形態の画像処理装置１０においてプログラム制御で実現される処理部５０の機能構成例を示したブロック図である。
図示するように、この第３の実施の形態における処理部５０は、文書取得部５１と、送信文書記憶部５２と、ユーザＩＤ取得部５３と、アドレス情報記憶部５４と、再送制御情報記憶部５５と、通信制御部５６とを備える。また、受信履歴記憶部５７と、受信文書記憶部５８と、文書出力部５９とを備える。このうち、文書取得部５１、ユーザＩＤ取得部５３、通信制御部５６、文書出力部５９は、ＣＰＵ１１が例えばＨＤＤ１４に記憶されたプログラムをＲＡＭ１２に読み込むことによって実現される。また、アドレス情報記憶部５４、送信文書記憶部５２、受信履歴記憶部５７、受信文書記憶部５８は、例えばＨＤＤ１４によって実現される。
【００５５】
ここで、文書取得部５１、送信文書記憶部５２、ユーザＩＤ取得部５３、アドレス情報記憶部５４、再送制御情報記憶部５５、受信履歴記憶部５７、受信文書記憶部５８、文書出力部５９は、それぞれ、第２の実施の形態における文書取得部４１、送信文書記憶部４２、ユーザＩＤ取得部４３、アドレス情報記憶部４４、再送制御情報記憶部４５、受信履歴記憶部４７、受信文書記憶部４８、文書出力部４９と同様なので、ここでの詳細な説明は省略する。
【００５６】
通信制御部５６は、他の画像処理装置１０、位置管理サーバ２０、携帯端末６０との間での情報の通信を制御する。具体的には、他の画像処理装置１０に文書ＩＤが付加された文書を有効期限と共に送信し、他の画像処理装置１０から文書が有効期限内に取り出されたことを示す取り出し完了通知又は文書が有効期限内に取り出されなかったことを示す取り出し未了通知を受信する。そして、取り出し未了通知を受信した場合には、その画像処理装置１０に再送制御情報を送信して文書の再送を指示する。また、他の画像処理装置１０から文書ＩＤが付加された文書を受信し、他の画像処理装置１０に文書が有効期限内に取り出されたことを示す取り出し完了通知又は文書が有効期限内に取り出されなかったことを示す取り出し未了通知を送信する。本実施の形態では、画像を送信する送信手段の一例として、そして、画像を受信する受信手段の一例として、通信制御部５６のこの機能を設けている。また、位置管理サーバ２０にユーザＩＤを送信し、位置管理サーバ２０からユーザＩＤに対応する画像処理装置１０の装置ＩＤを受信する。本実施の形態では、画像の送信先の装置を決定する決定手段の一例として、通信制御部５６のこの機能を設けている。更に、携帯端末６０に文書ＩＤ、装置の情報、有効期限を送信する。本実施の形態では、送信先の装置と有効期限とを報知する報知手段の一例として、通信制御部５６のこの機能を設けている。
【００５７】
尚、アドレス情報記憶部５４に記憶される情報については、第１の実施の形態で述べたのと同様であるので、ここでの詳細な説明は省略する。
【００５８】
次に、この第３の実施の形態の動作について説明する。
図１３は、第３の実施の形態における画像処理装置１０ａ等を含む画像処理システムの動作例を示したシーケンス図である。ここで、画像処理装置１０ａは、画像取得装置の一例である。尚、この動作例は、文書の送信者が、他のユーザ（受取人）に対して文書の送信を試みることにより、開始される。また、以下の説明において、画像処理装置１０ａ，１０ｂの各機能には、それぞれ、「ａ」，「ｂ」を付して表す。
【００５９】
ここで、ステップ５０１〜５０７及びステップ５５１〜５５８は、第２の実施の形態におけるステップ４０１〜４０７及びステップ４５１〜４５８と同様であるので、ここでの詳細な説明は省略する。但し、ステップ５５８では、ステップ４５８とは異なり、通信制御部５６ｂが、受信文書記憶部４８ｂに記憶されたこの文書ＩＤの文書は削除せず、受信履歴記憶部５７ｂに記憶されたこの文書ＩＤに対応する受信履歴を削除する（ステップ５５８）。尚、以下では、ここで特定された画像処理装置１０を画像処理装置１０ｂとする。ここで、画像処理装置１０ｂは、画像出力装置の一例である。
【００６０】
ステップ５０７でメッセージを受信すると、画像処理装置１０ａでは、通信制御部５６ａが、そのメッセージが取り出し完了通知であるかどうかを判定する（ステップ５０８）。その結果、メッセージが取り出し完了通知であると判定されると、受信文書記憶部５８ｂに記憶されたこの文書ＩＤの文書を削除し、再送制御情報記憶部５５ａに記憶されたこの文書ＩＤに対応する再送制御情報を削除する（ステップ５０９）。
【００６１】
以上は、送信された文書を受取人が有効期限内に取り出すことができた場合であるが、実際には受取人は一箇所に留まらず、拠点間を移動している場合もある。その場合は、受取人が有効期限内に文書を取り出すことができない可能性が高い。そうなると、ステップ５０７で受信したメッセージは取り出し未了通知となる。この場合、通信制御部５６ａは、受取人が移動したものと判断し、再送制御情報記憶部５５ａに記憶されたこの文書ＩＤに対応する再送制御情報を画像処理装置１０ｂに送信する（ステップ５１０）。
【００６２】
これにより、画像処理装置１０ｂでは、通信制御部５６ｂが、この再送制御情報を受信し、再送制御情報記憶部５５ｂに記憶する（ステップ５５９）。そして、この再送制御情報に基づいて、受信文書記憶部５８ｂに記憶された文書の再送処理を行う。具体的には、受取人の移動先の新たな位置から更に他の画像処理装置１０（画像処理装置１０ｃとする）を特定し、受信文書記憶部５８ｂからこの文書ＩＤの文書を取り出して画像処理装置１０ｃに送信する。
【００６３】
ここで、図１３に示した動作例において記憶される情報について付言すると、ステップ５０３で記憶される再送制御情報は、図８（ａ）と同様であり、ステップ５５２で記憶される受信履歴は、図１１と同様である。
【００６４】
尚、上記動作例では、画像処理装置１０ａで有効期限を設定し、これを文書と共に画像処理装置１０ｂに送信するようにしたが、画像処理装置１０ａで有効期限を設定しないことも考えられる。この場合は、画像処理装置１０ｂで有効期限を設定し、文書に関連付けられた有効期限が経過すると発火するタイマをセットするとよい。
【００６５】
ところで、上記第１、第２、第３の実施の形態において、画像処理装置１０ａは、文書の送信者が入力したユーザＩＤを検索キーにして、位置管理サーバ２０に受取人の近くにある画像処理装置１０を問い合わせるようにしたが、これには限らない。例えば、画像処理装置１０ａが位置管理サーバ２０に受取人の位置を問い合わせ、受取人の位置情報を検索キーにして、内部の装置位置データベースを検索し、受取人の近くにある画像処理装置１０を特定するようにしてもよい。或いは、自装置に登録された情報に基づいて、受取人の位置を特定し、受取人の位置情報を検索キーにして、内部の装置位置データベースを検索し、受取人の近くにある画像処理装置１０を特定するようにしてもよい。
【００６６】
尚、本実施の形態を実現するプログラムは、通信手段により提供することはもちろん、ＣＤ−ＲＯＭ等の記録媒体に格納して提供することも可能である。
【符号の説明】
【００６７】
１０ａ，１０ｂ，１０ｃ，１０ｄ…画像処理装置、２０…位置管理サーバ、３０，４０，５０…処理部、６０…携帯端末、７０…基地局、８０…ネットワーク
【図１】
2011045034.tif 000003
【図２】
2011045034.tif 000004
【図３】
2011045034.tif 000005
【図４】
2011045034.tif 000006
【図５】
2011045034.tif 000007
【図６】
2011045034.tif 000008
【図７】
2011045034.tif 000009
【図８】
2011045034.tif 000010
【図９】
2011045034.tif 000011
【図１０】
2011045034.tif 000012
【図１１】
2011045034.tif 000013
【図１２】
2011045034.tif 000014
【図１３】
2011045034.tif 000015